(57)【要約】【課題】コンクリート床版構造体では、従来技術に比べ、より簡便な施工およびより簡便な補修が可能なコンクリート床版構造体を提供する。さらに、コンクリート床版構造体が適用されたサービスエリアやパーキングエリアの大型車両用駐車マスを提供する。【解決手段】コンクリート床版構造体１は、例えば４枚のコンクリート床版２を連結させたものである。コンクリート床版２は四辺に連結金具５が埋設されている。対向するコンクリート床版２，２間には樹脂製目地板３が介挿されている。対向するコンクリート床版２，２は、樹脂製目地板３を介して、連結部４により連結される。言い換えると、４枚のコンクリート床版２が連結され、１つのコンクリート床版構造体１、すなわち一枚の床版を形成する。【選択図】図１
2020133142.tif 000002
【特許請求の範囲】
【請求項１】
複数のコンクリート床版と、
前記複数のコンクリート床版のうち対向するコンクリート床版間に介挿される樹脂製目地板と、
前記対向するコンクリート床版の端部同士を連結する連結部と
を備えるコンクリート床版構造体。
【請求項２】
前記樹脂製目地板の圧縮強度が２０N/mm2以上である
請求項１記載のンクリート床版構造体。
【請求項３】
前記樹脂製目地板は繊維チップを含む
請求項１または２記載のコンクリート床版構造体。
【請求項４】
前記連結部はコッター式継手構造である
請求項１〜３いずれか記載のコンクリート床版構造体。
【請求項５】
請求項１〜４いずれか記載のコンクリート床版構造体が敷設されて形成される大型車両駐車場構造。
【請求項６】
車両通路と、前記車両通路に沿って複数隣接して設けられる駐車マスとを備え、
前記車両通路の進行方向と前記駐車マスの長手方向は、３５〜５５度の斜角を形成し、
前記駐車マスの車両前輪対応位置に前記コンクリート床版構造体が敷設されている
請求項５記載の大型車両駐車場構造。
【請求項７】
隣り合う駐車マスにおいて、
一のコンクリート床版構造体と他のコンクリート床版構造体とが一部において連結されている
請求項６記載の大型車両駐車場構造。
【発明の詳細な説明】
【技術分野】
【０００１】
本発明は、サービスエリアやパーキングエリアの大型車両駐車場構造および大型車両駐車場に敷設されるコンクリート床版構造体に関するものである。
【背景技術】
【０００２】
高速道路等のサービスエリアやパーキングエリアには、大型トラックや大型バスなどの大型車両が駐車するスペース（駐車マス）が設けられている（例えば図１２参照）。
【０００３】
ところで、サービスエリアやパーキングエリアでは、長距離トラックのドライバーらがアイドリング状態で仮眠することが散見される。
【０００４】
大型車両による振動が繰り返されることにより、路盤や路床が変形し、路盤や路床の変形に伴いアスファルトが変形し、特に、大型車両前輪対応位置にて、凹みや窪みが生ずる。凹みや窪みに水が溜まると（図１３参照）、凹みや窪みに生じたひび割れから水が路盤に浸透する。路盤が大量の水を含んだ状態で、大型車両の加重が作用すると、ポンピング現象により、路盤の細粒分が流出し、舗装下に空洞が生じる。空洞により、アスファルト舗装は支持力を失い、損傷が進行する。これを長期間放置しておくと、大きな穴となる。ここまで損傷が進むと、路盤を含めて全面的に修復する必要があり、大掛かりな工事となる。
【０００５】
また、凹みや窪みにともない、両端部が盛り上がる。大型バスの乗客らが、凹凸に足を取られるおそれもある。
【０００６】
このため、凹みや窪みが生じた場合、損傷初期段階において、補修が行なわれる。アスファルト舗装路面の補修工法としては、路面のアスファルトを加熱し、かきほぐして新規材料も加えて再生使用する再生工法や、補修部分のアスファルトを切削除去して新たなアスファルト混合物で敷き直す工法や、切削せずに補修部分を清掃した後に新たなアスファルト混合物を充填して敷きならす工法などがある（例えば特許文献１参照）。
【０００７】
ところで、サービスエリアやパーキングエリアの大型車両駐車場では、一般に、半たわみ性舗装がされている。半たわみ性舗装では、アスファルト混合物の空隙にセメントミルクを浸透させる。このため、通常のアスファルト舗装に比べて、撤去や復旧において施工手間がかかる。サービスエリアやパーキングエリアの駐車マスは２４時間利用されており、頻繁に工事規制することは好ましくない。
【０００８】
一方で、コンクリート舗装、特にコンクリート床版による舗装は、アスファルト舗装に比べて、メンテナンス手間が少ないことが知られている（例えば、特許文献２参照）。例えば、トンネル出口個所、トンネル入口個所、道路傾斜個所、料金所個所、及び交差点個所などの舗装に、耐久性や急速施工等の観点からコンクリート床版（舗装版）が用いられることもある。また、耐久性の高さから空港舗装にも用いられる（例えば、特許文献３参照）。
【先行技術文献】
【特許文献】
【０００９】
【特許文献１】特許4101858号公報
【特許文献２】特開2000-230211号公報
【特許文献３】特開2001-152403号公報
【発明の概要】
【発明が解決しようとする課題】
【００１０】
そこで、本願出願人は、コンクリート床版を大型車両用の駐車マスに適用することを提案した。
【００１１】
しかしながら、従来技術に係るコンクリート床版は、道路舗装を考慮して提案されたものであり、そのまま、大型車両用の駐車マスに適用しようとすると、下記のような不具合が生じる。
【００１２】
道路用コンクリート床版は、施工性の観点から、道路進行方向約５ｍ×道路直行方向約１．８ｍ×厚さ約０．２ｍ程度のものが用いられる。道路用コンクリート床版一枚あたりの重量は４ｔ近くになる。交通量の少ない夜間等に工事規制を行い、２５ｔラフターにより吊り上げて、所定位置に配置する。
【００１３】
これに対し、サービスエリアやパーキングエリアでは、大規模な工事規制をおこなうことが難しい。
【００１４】
コンクリート床版はメンテナンス手間が少ない長所を有するが、メンテナンス不要なわけではない。不具合が見つかった場合は、早急になるべく簡便に補修できることが好ましい。
【００１５】
このように、サービスエリアやパーキングエリアでは、より簡便な施工、より簡便な補修が重要となる。
【００１６】
そこで、本願出願人は、コンクリート床版を小型・分割することを提案した。具体的には、縦約２．１ｍ×横約１．６ｍ×厚さ約０．１５ｍ程度、重量は１．２ｔ程度を想定している。これにより、１０ｔユニック車による搬送および施工が可能となり、大規模な工事規制は不要となる。
【００１７】
一方、コンクリート床版を分割する結果、コンクリート床版同士を連結する箇所が増え、施工手間が増える。
【００１８】
従来の道路用コンクリート床版においても、コンクリート床版同士を連結する必要がある。コンクリート床版は端部に連結金具を有し、目地を介して、対向する連結金具同士を連結する。目地にはグラウトが注入される。グラウトは３時間程度で実用強度が発現する。その後、連結金具同士を締結する。
【００１９】
一般に、道路用コンクリート床版を用いた道路工事の場合は、比較的大掛かりな工事となるため、十分な施工時間が確保されている。したがって、グラウト注入作業が、極端に施工手間となることはない。
【００２０】
これに対し、サービスエリアやパーキングエリアにコンクリート床版を敷設する作業では、全体の作業量に対し、グラウト注入作業が施工手間になる。
【００２１】
このように、小型のコンクリート床版を大型車両用の駐車マスに適用しようとすると、グラウト注入作業が絶対的に、かつ、相対的に施工手間になる。
【００２２】
本発明は、上記課題を解決するものであり、より簡便な施工および、より簡便な補修ができるコンクリート床版構造体を提供することを目的とする。さらには、コンクリート床版構造体が適用されたサービスエリアやパーキングエリアの大型車両用駐車マスを提供することを目的とする。
【課題を解決するための手段】
【００２３】
上記課題を解決する本願発明のコンクリート床版構造体は、複数のコンクリート床版と、前記複数のコンクリート床版のうち対向するコンクリート床版間に介挿される樹脂製目地板と、前記対向するコンクリート床版の端部同士を連結する連結部とを備える。
【００２４】
樹脂製目地板を介して複数のコンクリート床版を連結することで、コンクリート床版構造体は一枚の床版となる。大型の床版やグラウト目地と比較して、施工容易性や補修容易性が向上する。
【００２５】
上記発明において好ましくは、前記樹脂製目地板の圧縮強度が２０N/mm2以上である。
【００２６】
これにより、グラウト目地に代替可能となる。
【００２７】
上記発明において好ましくは、前記樹脂製目地板は繊維チップを含む。
【００２８】
これにより、樹脂製目地板の圧縮強度は増し、熱膨張は抑制される。
【００２９】
上記発明において好ましくは、前記連結部はコッター式継手構造である。
【００３０】
樹脂製目地板はコッター式継手構造の目地に好適である。
【００３１】
上記課題を解決する本願発明の大型車両駐車場構造は、前記コンクリート床版構造体が敷設されて形成される。
【００３２】
本願発明のコンクリート床版構造体は、大型車両駐車場構造に好適である。
【００３３】
上記発明において好ましくは、車両通路と、前記車両通路に沿って複数隣接して設けられる駐車マスとを備える。前記車両通路の進行方向と前記駐車マスの長手方向は、３５〜５５度の斜角を形成する。前記駐車マスの車両前輪対応位置に前記コンクリート床版構造体が敷設されている。
【００３４】
これにより、これにより、アイドリング時のエンジン振動が前輪を介して舗装に伝達され不具合が発生することを抑制できる。
【００３５】
上記発明において好ましくは、隣り合う駐車マスにおいて、一のコンクリート床版構造体と他のコンクリート床版構造体とが一部において連結されている。
【００３６】
これにより、１つのコンクリート床版構造体下面において空洞化が発生した場合でも、両側のコンクリート床版構造体により支持され、空洞化の悪影響を抑制できる。
【発明の効果】
【００３７】
本発明のコンクリート床版構造体では、従来技術に比べ、より簡便な施工および、より簡便な補修ができる。
【００３８】
その結果、サービスエリアやパーキングエリアの大型車両用駐車マスにコンクリート床版構造体を適用できる。
【００３９】
また、本願樹脂製目地板はコッター式継手構造の目地に好適である。
【図面の簡単な説明】
【００４０】
【図１】コンクリート床版構造体  （平面図）
【図２】コンクリート床版配筋図  （平面図・側面図）
【図３】連結部詳細図  （平面図・側面図）
【図４】連結部詳細図  （断面斜視図）
【図５】連結金具例
【図６】大型車両駐車場構造（概略断面図）
【図７】施工外略図
【図８】大型車両駐車場参考レイアウト（平面図）
【図９】大型車両駐車場実施レイアウト（平面図）
【図１０】大型車両駐車場変形レイアウト（平面図）
【図１１】構造体連結部詳細図（平面図）
【図１２】サービスエリア大型車両用駐車マス
【図１３】駐車マスにおける窪み
【図１４】コッター式継手への適用例
【発明を実施するための形態】
【００４１】
〜コンクリート床版構造体〜
図１は、本発明の一実施形態に係るコンクリート床版構造体１の平面図である。
【００４２】
コンクリート床版構造体１は、例えば４枚のコンクリート床版２を連結させたものである。コンクリート床版２は四辺に連結金具５が埋設されている。対向するコンクリート床版２，２間には樹脂製目地板３が介挿されている。対向するコンクリート床版２，２は、樹脂製目地板３を介して、連結部４により連結される。言い換えると、４枚のコンクリート床版２が連結され、１つのコンクリート床版構造体１を形成する。コンクリート床版構造体１は一枚の床版である。
【００４３】
図２は、コンクリート床版２の配筋図であり、平面図と側面図である。例えば、縦横３０本程度のD19の鉄筋が配筋され、圧縮強度４０N／ｍｍ２程度のコンクリートが打設される。コンクリート床版２の長手方向端辺には４つの連結金具５がコンクリートに埋設され、短手方向端辺には３つの連結金具５がコンクリートに埋設されている。
【００４４】
なお、寸法以外、基本的な構成は、従来のコンクリート床版とほぼ同様である。
【００４５】
図３は連結部４の平面図と側面図である。図４は連結部４の一部断面斜視図である。図５は連結金具５の例示である。
【００４６】
連結金具５は上面が開放された箱型であり、２本のアンカーによりコンクリート内に固定される。また端面に孔を有する。
【００４７】
コンクリート床版２Ａ，２Ｂが対向すると、連結金具５Ａ，５Ｂの孔が対向する。また、樹脂製目地板３の連結部相当位置にも孔が設けられており、連結金具５Ａ，５Ｂの孔と連通する。この孔にボルト−ナット構造６が挿通する。これにより、連結部４が形成される。
【００４８】
本願発明では、グラウト注入に代えて、対向するコンクリート床版２，２間に樹脂製目地板３が介挿されている。樹脂製目地板３の樹脂には炭素繊維チップが含まれている。
【００４９】
樹脂材料には、例えば、PP(ポリプロピレン)、PE（ポリエチレン）、PVC（ポリ塩化ビニル）等が、用いられる。試験施工では、PEを用いた。
【００５０】
なお、一般に、PPやPEと炭素繊維とは馴染みにくいとされている。サイジング材を付加することにより、PPやPEと炭素繊維との混合が容易となる。比較的安価なPPやPEを用いることで樹脂製目地板の製作コストを抑制できる。
【００５１】
炭素繊維チップは、たとえば、チョップドファイバーである。チョップドファイバーは単繊維を束ねたものを３〜６ｍｍ程度の長さに切断したものである。ところで、一般的な炭素繊維強化プラスチックにおいては織物状の炭素繊維を用いる。チョップドファイバーは織物の端材を利用することで、安価に入手でき、樹脂製目地板の製作コストを抑制できる。
【００５２】
炭素繊維に変えてスーパー繊維を用いてもよい。スーパー繊維は、アラミド繊維やポリエチレン繊維など高強度・高弾性率・高耐熱性などの高機能を有する人工繊維の総称である。
【００５３】
炭素繊維チップは、樹脂に対し重量比５−１０％程度含まれる。試験施工では、５％含まれていた。
【００５４】
一般的に炭素繊維強化プラスチックはコスト面に課題があるとされるが、本実施形態では炭素繊維強化樹脂板の製作コストを抑制できる。その結果、目地板への適用が可能となる。
【００５５】
これにより、炭素繊維チップが含まれていない樹脂に比べ高強度となる。例えば、炭素繊維チップが含まれていない樹脂製目地板の圧縮強度が１０N/mm2程度だったのに対し、炭素繊維チップが含まれている樹脂製目地板３の圧縮強度は２０N/mm2以上となり、グラウトに代替できる。その結果、コンクリート床版構造体１は剛性を確保し、一枚の床版となる。
【００５６】
実務的な観点より、樹脂製目地板３の圧縮強度は最大でコンクリートの圧縮強度程度でよい。
【００５７】
樹脂製目地板３の圧縮強度をコンクリートの圧縮強度程度以下（または未満）とすることにより、樹脂製目地板３は高剛性ととともに適度な弾性機能を発揮し、コンクリート床版構造体１に作用する曲げ変位を吸収できる。その結果、目地周辺での破壊を抑制できる。
【００５８】
また、樹脂製目地板３が炭素繊維チップを含むことにより、熱膨張を抑制できる。本願出願人は、炭素繊維チップの有無による膨張抑制効果について簡単な試験をおこなった。１０００×２４００×１０ｍｍのPE板を成形し、直射日光に８〜１４時まで６時間暴露させた。５日間の平均をとり、更に縦方向と横方向の平均をとった。炭素繊維チップが含まれていない樹脂板では、１．９％程度膨張したのに対し、１０％程度炭素繊維チップが含まれている樹脂板は０．７％膨張した。すなわち、膨張の影響を約半分に抑制できることが推測される。これにより、連結部４に負荷を掛けない。さらに、グラウトのような収縮やひび割れもない。
【００５９】
なお、樹脂製目地板３はコンクリート床版２の熱伸縮を多少調整できるが、主にコンクリート床版構造体１境界部にて調整する。
【００６０】
樹脂製目地板３介挿は、グラウトのように実用強度発現を待つ必要がなく、施工手間を低減できる。
【００６１】
連結後、連結金具５Ａ，５Ｂには蓋７Ａ，７Ｂが被せられ、ネジ留めされる。蓋７は樹脂製目地板３と同じ材料でもよい。
【００６２】
さらに、目地はシール８によりシールされる。シール８はポリウレア樹脂である。
【００６３】
ポリウレア樹脂は、イソシアネートとアミノ基との化学反応によって形成されるウレア結合が主体となった化合物である。硬化時間が速く、施工性が良い。ポリウレタンに比べて、防水性が高く、伸び率が大きく、母材との接着性が良い。一般に壁や床のライニングに用いられる。本実施形態においてはシール材として転用する。ポリウレア樹脂は目地の動きに追従する。
【００６４】
〜大型車両用駐車マス〜
コンクリート床版構造体１は、サービスエリアやパーキングエリアの大型車両用駐車マスに適用される。
【００６５】
一般に、サービスエリアやパーキングエリアはアスファルト舗装されている。例えば、転圧された砕石２００ｍｍからなる路盤と、アスファルト混合物６０ｍｍからなる基層と、アスファルト混合物にセメントミルクを浸透させてなる４０ｍｍの半たわみ性層とから、構成されている。
【００６６】
図６は、大型車両駐車場構造の概略断面図である。サービスエリアやパーキングエリアの大型車両用駐車マスにコンクリート床版構造体１を適用したものである。
【００６７】
コンクリート床版構造体１相当箇所を路盤途中まで掘削し、複数のコンクリート床版２および樹脂製目地板３を配設し、連結する。
【００６８】
コンクリート床版２中央（図２参照）に設けられたグラウト注入孔およびコンクリート床版構造体１境界部よりグラウトを注入し、下部および側面部にグラウトを充填する。なお、下部および側面部のグラウトはコンクリート床版構造体１の一部でなく、比較的強度を必要とされない。したがって、強度発現時間は短く、極端に施工手間となることはない。
【００６９】
さらに、コンクリート床版構造体１境界部はシールされる。境界シールは目地シールと同じ材料でもよい。
【００７０】
図７は施工概略図である。コンクリート床版２は小型化されており、大型ユニック車による搬送および施工が可能となり、大規模な工事規制は不要となる。このように、従来技術に比べ、より簡便な施工が可能となる。
【００７１】
ところで、コンクリート床版構造体１はメンテナンス手間が少ない長所を有するが、メンテナンス不要なわけではない。
【００７２】
コンクリート床版構造体１を用いた大型車両用駐車マスにおいて、想定される不具合は、コンクリート床版構造体１下面の空洞化である。コンクリート床版構造体１自体に不具合が生じるおそれは少ない。コンクリート床版構造体１下面の空洞化に対しては、追加グラウト注入により、簡単に補修できる。
【００７３】
仮に、コンクリート床版構造体１自体に不具合が生じた場合でも、１枚のコンクリート床版２のみに不具合が生じた場合ならば、コンクリート床版２のみを交換することにより、簡単に補修できる。
【００７４】
〜大型車両駐車場〜
本願出願人は、サービスエリアやパーキングエリアの大型車両用駐車マスにおいて、特定の箇所が繰り返し補修されることに気が付いた。サービスエリアやパーキングエリアにおいては、複数の大型車両用駐車マスが車両通路に沿って隣接して設けられ、車両通路の進行方向と駐車マスの長手方向は、所定範囲（例えば３５〜５５度）の斜角を形成している（図１２参照）。大型車両は車両通路から前向きに駐車マスに進入し、後ろ向きに退出する。すなわち、駐車時の大型車両の前輪位置はおおよそ同じ位置となる。
【００７５】
一方で、大型車両のうち特に大型トラックは、車両前方にエンジンを搭載していることが多い。アイドリング時のエンジン振動が前輪を介して舗装に伝達されているものと思われる。
【００７６】
そこで、本願出願人は、道路用コンクリート床版を大型車両用の駐車マスに適用することを提案した。すなわち耐久性に優れる道路用コンクリート床版を駐車マスの車両前輪対応位置に敷設することを検討した。
【００７７】
図８は、道路用コンクリート床版配置の参考例の平面図である。道路用コンクリート床版は、施工性の観点から、道路進行方向約５ｍ×道路直行方向約１．８ｍ×厚さ約０．２ｍ程度のものが実用されている。道路用コンクリート床版の短手方向と車両通路方向が一致するように、道路用コンクリート床版を連設した。
【００７８】
検討の結果、参考例では施工性が悪いだけでなく、レイアウトの自由度が欠けるということがわかった。
【００７９】
図９は、コンクリート床版構造体１のレイアウト例の平面図である。コンクリート床版構造体１は４枚のコンクリート床版２を連結させたコンクリート床版構造体１を各駐車マスの車両前輪対応位置に配置する。これにより、アイドリング時のエンジン振動が前輪を介して舗装に伝達され不具合が発生することを抑制できる。
【００８０】
コンクリート床版２を小型化することによりレイアウトの自由度が増し、参考例に比べて無駄なく配置できる。その結果、施工コストを低減できる。
【００８１】
図１０は、コンクリート床版構造体１のレイアウト変形例の平面図である。コンクリート床版構造体１は６枚のコンクリート床版２を連結させたコンクリート床版構造体１を各駐車マスの車両前輪対応位置に配置する。
【００８２】
〜コンクリート床版構造体連結〜
図９および図１０のレイアウト例において、一のコンクリート床版構造体と他のコンクリート床版構造体とが一部において連結されていてもよい。
【００８３】
図１１は、構造体連結部１０の詳細平面図である。隣り合う駐車マスにおいて、コンクリート床版構造体１Aとコンクリート床版構造体１Bとがそれぞれ配設されている。コンクリート床版構造体１Aはコンクリート床版２A１〜４が連結されて形成され、コンクリート床版構造体１Bはコンクリート床版２B１〜４が連結されて形成されている。
【００８４】
コンクリート床版２A１〜４，コンクリート床版２B１〜４は、四辺に連結金具５がコンクリートに埋設されている。連結金具５の一部はコンクリート床版構造体形成に用いられるが、残りはコンクリート床版構造体形成に用いられない。
【００８５】
未利用の連結金具５および樹脂製目地板３を介して、コンクリート床版２A１とコンクリート床版２B４を連結し、構造体連結部１０が形成される。これにより、コンクリート床版構造体同士が連結される。
【００８６】
仮に、１つのコンクリート床版構造体下面において空洞化が発生した場合でも、両側のコンクリート床版構造体により支持され、空洞化の悪影響を抑制できる。なお、コンクリート床版構造体下面の空洞化に対しては、追加グラウト注入により、簡単に補修できる。
【００８７】
〜効果まとめ〜
樹脂製目地板３は高強度である結果、コンクリート床版構造体１は剛性を確保し、一枚の床版となる。
【００８８】
樹脂製目地板３は熱膨張が抑制されている結果、連結部４に不要な負荷が掛からない。
【００８９】
樹脂製目地板３設置がグラウト注入に代替可能である結果、コンクリート床版を小型化しても、施工容易性や補修容易性が向上する。
【００９０】
樹脂製目地板３では、グラウト目地における収縮やひび割れに係る問題がない。
【００９１】
コンクリート床版構造体１はサービスエリアやパーキングエリアの大型車両用駐車マスに好適である。これにより大型車両特有の不具合を抑制できる。
【００９２】
特に、コンクリート床版構造体１を車両前輪対応位置に敷設することで、施工コストを低減できる。
【００９３】
〜その他〜
上記では好適な例として、コンクリート床版構造体１を駐車マスの車両前輪対応位置に敷設する例を示したが、これに限定されない。全面に敷設してもよい。
【００９４】
上記ではコンクリート床版構造体１の好適な適用例として、サービスエリアやパーキングエリアの大型車両用駐車マスへの適用について示したが、これに限定されない。他の駐車場や道路舗装に適用してもよい。
【００９５】
〜コッター式継手〜
【００９６】
上記実施形態では、大型車両駐車場への適用を念頭に、一般的な連結部への適用例について説明したが、本願樹脂製目地板３は、コッター式継手の目地として好適である。
【００９７】
図１４Aはコッター式継手の各構成を示し、図１４Bはコッター式継手による連結状態を示す。
【００９８】
連結金具の対向面にはスリットが設けられている。継手は平面視ダンベル状を有する。対向する連結金具の開口部およびスリットが形成する形状と、継手の平面視ダンベル状が対応している。
【００９９】
さらに、継手は、二つの継手端部に上から下に向かう方向に互いに離れるようなテーパが形成されている。対向するテーパは雌の楔状を形成する。連結金具の側面部内壁にも、上から下に向かう方向に互いに離れるようなテーパが設けられている。対向するテーパは雄の楔状を形成する。雌の楔状と雄の楔状とが対応している。
【０１００】
継手を対向する連結金具に挿入すると、雄の楔状が雌の楔状に食い込む。これにより連結金具間には互いに引き合うようなプレストレスが導入される。さらに、ボルトが螺合されているため、楔が抜けることはない。強固な連結部４が形成される。
【０１０１】
対向するコンクリート床版２，２は、樹脂製目地板３を介して、連結部４により連結される。なお、樹脂製目地板３の連結部相当箇所には切り欠けが設けられている（図４類似）。
【０１０２】
ところで、従来技術に係るコッター式継手においても、目地にグラウト注入するのが一般的である。しかしながら、グラウト注入には以下のような課題がある。
【０１０３】
注入したグラウトは所定強度発現までに数時間を要し、コッター式継手による抜群の施工性を損なうおそれがある。
【０１０４】
グラウトによる目地は経年劣化により割れやすくなる。特にコッター式継手ではプレストレスが導入されているため、より割れやすくなる。
【０１０５】
連結性を高めるため、コンクリート床版側面にはホゾが設けられている。グラウトがホゾまで回り込むことにより、連結性が向上する。しかしながら、施工実務において、グラウト注入不足により、ところどころ空洞になる不具合が散見される。
【０１０６】
このようなグラウト注入目地に係る課題に対し、本願出願人は鉄板により代替することを企図した。しかしながら、鉄板目地には以下のような課題があることがわかった。
【０１０７】
コッター式継手により比較的強いプレストレスが導入されると、鉄板の剛性が強すぎるため、コンクリートが欠けるおそれがある。
【０１０８】
さらに、鉄板目地には錆に係る課題がある。なお、目地では水に係る不具合が多発している。錆びに係る不具合と水に係る不具合は相互に悪影響を及ぼす。
【０１０９】
鉄板目地をコンクリート床版側面のホゾに食い込ませるように鉄板を加工することは、製作手間および製作コストを要する。
【０１１０】
上記課題に対し、樹脂製目地板３は高剛性とともに適度な弾性機能を発揮する。その結果、以下のような効果を期待できる。
【０１１１】
グラウト目地は施工性が劣るのに対し、樹脂製目地板３は施工性に優れている。グラウト目地は経年劣化により割れやすくなるのに対し、樹脂製目地板３はほぼ劣化しない。
【０１１２】
鉄板目地ではプレストレスに対しコンクリートが欠けるおそれがあるのに対し、樹脂製目地板３は僅かながら弾性変形し、コンクリートが欠けるおそれはない。鉄板目地には錆びるおそれがあるのに対し、樹脂製目地板３は錆びない。
【０１１３】
グラウト目地では、ホゾに対しグラウト注入不足のおそれがあり、鉄板目地では、ホゾに適用するような加工が手間である。これに対し、樹脂製目地板３はホゾに適用するような加工が容易であり、ホゾに確実に食い込む。
【０１１４】
コッター式継手によるプレストレスにより、樹脂製目地板３は僅かながら弾性変形する。その結果、樹脂製目地板３はコンクリート床版２，２に密着するため、水が入り込みにくい。
【０１１５】
以上のように、コッター式継手の目地として、樹脂製目地板３はグラウト目地や鉄板目地にはない効果を有する。
【符号の説明】
【０１１６】
１  コンクリート床版構造体
２  コンクリート床版
３  樹脂製目地板
４  連結部
５  連結金具
６  ボルト−ナット構造
７  蓋
８  シール
１０  構造体連結部
【図１】
2020133142.tif 000003
【図２】
2020133142.tif 000004
【図３】
2020133142.tif 000005
【図４】
2020133142.tif 000006
【図５】
2020133142.tif 000007
【図６】
2020133142.tif 000008
【図７】
2020133142.tif 000009
【図８】
2020133142.tif 000010
【図９】
2020133142.tif 000011
【図１０】
2020133142.tif 000012
【図１１】
2020133142.tif 000013
【図１２】
2020133142.tif 000014
【図１３】
2020133142.tif 000015
【図１４】
2020133142.tif 000016